(57)【要約】【課題】  ネクタイの着用はもちろんのこと、ノーネクタイで台衿ボタンを外しても、衿元のラインが美しく見え、なおかつ、自由に衿元の形状を変化させ、維持することができるシャツを提供する。【解決手段】  衿端の形状保型性を高めるため、また可変性を備えるために、化学繊維に覆われたポリエチレン樹脂製のワイヤーを衿端３側のところで、衿羽根表生地１Ａ・芯地１Ｃと衿羽根裏生地１Ｂに挟み込み、ステッチ９で縫い合わせている。このようにすれば、ノーネクタイで台衿ボタンを外しても、衿元がきれいに見えるようになり、なおかつ、その形状を維持することができる。【選択図】          図１
0003119446.tif 000002
【実用新案登録請求の範囲】
【請求項１】
衿を有する衣料品において、衿端部分、台衿の端部分や前身端の一部に対して、保型性もしくは可変性の性質を持つ化学繊維で覆われたポリエチレン樹脂製のワイヤーがシャツ生地と一体として縫いこまれていることを特徴とする図１記載のシャツ。
【請求項２】
衿を有する衣料品において、衿端部分に化学繊維で覆われたポリエチレン樹脂製のワイヤーが縫いこまれ、自由に衿端の形状を変化させることができることを特徴とする請求項１記載のシャツ。
【請求項３】
衿を有する衣料品において、台衿の端から前身端の第２釦の下まで縫いこまれた１本の化学繊維で覆われたポリエチレン樹脂製のワイヤーが、衿元の形状を自由に変化させ、もしくは形状を保持することができることを特徴とする請求項１記載のシャツ。
【考案の詳細な説明】
【技術分野】
【０００１】  本考案は、シャツやブラウス等といった衿を有する衣料品に関するものである。
【背景技術】
【０００２】  一般的に、ビジネス用のシャツ等においては、衿元をきれいに見せることが一つのポイントになっており、衿元をきれいにみせるために、衿羽根、台衿、前身端に形状補助材として、ソフト感のある芯地を用いている。【０００３】  図６は、従来におけるシャツの一例を示すもので、台衿ボタンを外した時の状態を示している。
【考案の開示】
【考案が解決しようとする課題】
【０００４】  しかしながら、今夏のクールビズに代表されるように、ノーネクタイで台衿ボタンを外しての着用が定着しつつあり、今までネクタイの下に隠れていた図６の台衿の端５から前身端７のラインが目立つようになり、さらに、ノーネクタイでの衿羽根の端３の形状も目立つようになったことにより、衿元の美観が著しく損なわれるという問題が生じるようになった。【０００５】  従来、衿元をきれいに見せるため、衿羽根、台衿、前身端に直線的あるいは曲線的な美しさが要求され、まず衿羽根については、ソフト感のある芯地を衿羽根の形状補助材として用いて、そのソフト感により、曲線的な美しさをもたらすが、着用回数が増加するに従い、その形状保持力が低下し、曲線的な美しさが維持されなくなるという問題があった。
また、台衿、前身端についてであるが、縫製過程において、台衿を含む衿、前身端を含む身頃をそれぞれ別個に縫製し、その後に台衿を含む衿と前身端を含む身頃を縫い合わせるため、図６のように、台衿の端５と前身端７を一体として見ると、直線的な美しさに欠けるという欠点があった。【０００６】  本考案は、上述の実情に鑑みてなしたもので、ノーネクタイで台衿ボタンを外しての着用でも、衿羽根の端の曲線的な美しさや台衿の端から前身端のラインに直線的な美しさがあるシャツを提供することを目的としている。
【課題を解決するための手段】
【０００７】  本考案は、まず衿羽根の端について、ソフト感があり、曲線的な美しさをつくりだすことができ、なおかつその形状を保持することが可能な素材を衿羽根の端に縫い込んだことを特徴とするシャツ、に係るものである。【０００８】  次いで、台衿の端と前身端間の直線的な美しさをつくり出すために、台衿の端と前身端に、上記の素材を台衿の端と前身端に縫い込み、台衿の端と前身端間の直線的な形状を作り出し、その形状を保持し、衿元を美しく見せることができることを特徴とするシャツ、に係るものである。
本考案の骨子は次の通りである。【０００９】  まず、本考案は、衿羽根の端に形状保持材たる請求項１記載の図１の化学繊維で覆われたポリエチレン樹脂製のワイヤー４を衿羽根表１１と衿羽根裏１２の間に縫いこむことにより、衿羽根の端の形状を自由に変更し、ソフトな曲線をつくりだし、なおかつ、その形状を維持することが可能なことを特徴としたシャツである。【００１０】  次いで、通常、縫製過程においては、台衿は衿羽根とまず縫い合わせ、衿部分を形成し、そして、衿部分を前身端を含む身頃と縫い合わせるが、まず、図４の前身端７に請求項１記載の化学繊維で覆われたポリエチレン樹脂製のワイヤー６の一部を縫いこみ、次いで、一部しか縫いこまれていない当該ワイヤー６の残部を、台衿の端５側に縫い込み、台衿を含む衿部分と前身端を含む身頃とを縫い合わせる。【００１１】  そして、このようにすれば、前身端から台衿の端まで縫いこまれた請求項１記載の化学繊維で覆われたポリエチレン樹脂製のワイヤー６により、台衿の端と前身端との一体性が図られ、ネクタイを着用しないで、台衿のボタンを外したときでも、図５のごとく、台衿の端５から前身端７のラインを直線的に美しく形成することができる。【００１２】  また、本考案の趣旨は、請求項２、３記載の形状保持力があり、可変性があることを特徴とする化学繊維で覆われたポリエチレン樹脂製のワイヤーに類似するものをも含むものであり、そして本考案は、形状保持材をシャツに縫い込み、衿羽根の端、台衿の端、前身端部分の形状を保持し、自由に変形させることができることを特徴とするシャツである。【００１３】  第１図は、本考案の化学繊維に覆われたポリエチレン樹脂製のワイヤーが衿羽根に縫い込まれた図を示すもので、１Ａ、１Ｂは衿羽根の表生地、裏生地、１Ｃは芯地、３は衿端、４は請求項１、２に記載された可変性、保型性の性質を持つ化学繊維に覆われたポリエチレン樹脂製のワイヤーを示す。第２図は、本考案の化学繊維に覆われたポリエチレン樹脂製のワイヤーが前身頃に縫い込まれた図を示すもので、８は前身頃、７は前身端、６は請求項１、３記載の可変性、保型性の性質を持つ化学繊維に覆われたポリエチレン樹脂製のワイヤーを示す。
また、第３図は、本考案の化学繊維に覆われたポリエチレン樹脂製のワイヤーが台衿に縫い込まれた図を示すもので、２Ａ、２Ｂは台衿の表生地、裏生地、２Ｃは芯地、５は台衿の端、６は請求項１、３記載の可変性、保型性の性質を持つ化学繊維に覆われたポリエチレン樹脂製のワイヤーを示す。【００１４】  第４図は、可変性、保型性の性質を持つ化学繊維に覆われたポリエチレン樹脂製のワイヤーが衿羽根の端、台衿端、前身端に縫い込まれた状態について示した図であり、４、６は、当該ワイヤーを示す。
【考案の効果】
【００１５】  上記した本考案のシャツによれば、下記のように優れた効果を獲得できる。【００１６】  （Ｉ）本考案の請求項１、２に記載のシャツによれば、ノーネクタイでも、衿羽根の端のソフトな曲線を作り出し、衿元をきれいに見せることができ、なおかつ、自由に衿羽根の端の形状を変えられ、おしゃを楽しむことができるようになった。【００１７】  （ＩＩ）本考案の請求項１、３に記載のシャツによれば、ノーネクタイで、台衿ボタンを外しても、第５図のごとく、台衿の端５から前身端７にかけて直線的な美しさを形成することができ、さらに衿元をきれいに見せることができるようになった。
【考案を実施するための最良の形態】
【００１８】  以下考案の実施の形態を図示例と共に説明する。【００１９】  図１〜図６は本考案の実施の形態の一例を示すもので、図中、同一の符号を付した部分は同一物を表している。【００２０】  図１〜図３に要部を拡大した断面図を示している、図１は衿羽根の端の断面図であり、通常は、化学繊維に覆われたポリエチレン樹脂製のワイヤー４を除いた形状で衿羽根を構成しているが本考案では、衿羽根の端の形状保持性を高めるため、また可変性を備えるために、当該ワイヤーを衿羽根の端３側のところで、衿羽根表生地１Ａ・芯地１Ｃと衿羽根裏生地１Ｂに挟み込み、ステッチ９で縫い合わせている。【００２１】  図２は、前身端の断面図であり、一般的には前身頃８の生地の先端を図２のように折り曲げて前身端を構成しますが、本考案では、前身端の形状保持性を高めるとともに、前身端に可変性を備えるために、化学繊維に覆われたポリエチレン樹脂製のワイヤー６を前身端７側のところで、前身頃８の生地を図２のように折り返して挟み込み、ステッチ９で縫い合わせている。【００２２】  また、図３においては、台衿の断面図であり、通常は、化学繊維に覆われたポリエチレン樹脂製のワイヤー６を除いた形状で台衿を構成しているが、本考案では、台衿の端の形状保持性を高めるため、また可変性を備えるために、化学繊維に覆われたポリエチレン樹脂製のワイヤーを台衿の端５側の、台衿表生地２Ａ・芯地２Ｃと台衿裏生地２Ｂに挟み込み、ステッチ９で縫い合わせている。【００２３】  そして、図４は、形状保持性、可変性を持った化学繊維に覆われたポリエチレン樹脂製のワイヤー４、６を衿羽根の端３、台衿の端５、前身端７に縫い込んだ構成図を示している。【００２４】  従来のシャツでは、ノーネクタイで、台衿ボタンを外したとき、図６のように衿羽根の端３の形状になり、衿羽根の端にソフト感のある曲線ができず、さらに台衿の端５から前身端７のラインが直線的ではなく、衿元の美観が著しく損なわれる。【００２５】  しかし、本考案によると、図５のごとく衿羽根の端３のソフト感のある形状や台衿の端５から前身端７のラインが直線的になり、台衿ボタンを外しても、衿元の美観が大幅に向上され、なおかつ、縫い込まれた化学繊維に覆われたポリエチレン樹脂製のワイヤー４、６により、その形状が保持され、いつでも美しい衿元を維持することができる。
従って、上記形態例によれば、ノーネクタイで台衿ボタンを外して着用しても、化学繊維に覆われたポリエチレン樹脂製のワイヤー４、６により、衿元の美観を従来より大幅に向上することができ、しかも、該ワイヤーは形状保持性の性質を持っているので、いつまでも衿元の美観を維持することが可能である。【００２６】  なお、本考案のシャツは、上述の形態例にのみ限定されるものではなく、本考案の要旨を逸脱しない範囲内において種々変更を加え得ることは勿論である。
【図面の簡単な説明】
【００２７】
【図１】本考案を実施する形態の一例を示す断面図である。
【図２】本考案を実施する形態の一例を示す断面図である。
【図３】本考案を実施する形態の一例を示す断面図である。
【図４】本形態例のシャツにおける化学繊維に覆われたポリエチレン樹脂製のワイヤーが縫いこまれた状態図である。
【図５】本考案において、ノーネクタイで台衿ボタンを外した状態を示す正面図である。
【図６】通常のシャツを着用した際に。ノーネクタイで、台衿ボタンを外したときに起こる状態について示した図である。
【符号の説明】
１  ・・・衿羽根
２  ・・・台衿
３  ・・・衿羽根の端
４  ・・・化学繊維に覆われたポリエチレン樹脂製のワイヤー
５  ・・・台衿の端
６  ・・・化学繊維に覆われたポリエチレン樹脂製のワイヤー
７  ・・・前身端
８  ・・・前身頃
９  ・・・ステッチ
１Ａ・・・衿羽根の表生地
１Ｂ・・・衿羽根の裏生地
１Ｃ・・・芯地
２Ａ・・・台衿の表生地
２Ｂ・・・台衿の裏生地
２Ｃ・・・芯地
【図１】
0003119446.tif 000003
【図２】
0003119446.tif 000004
【図３】
0003119446.tif 000005
【図４】
0003119446.tif 000006
【図５】
0003119446.tif 000007
【図６】
0003119446.tif 000008
【手続補正書】
【提出日】平成17年11月17日(2005.11.17)
【手続補正１】
【補正対象書類名】実用新案登録請求の範囲
【補正対象項目名】請求項１
【補正方法】変更
【補正の内容】
【請求項１】
衿を有する衣料品において、衿端部分、台衿の端部分や前身端の一部に対して、保型性もしくは可変性の性質を持つ化学繊維で覆われたポリエチレン樹脂製のワイヤーがシャツ生地と一体として縫いこまれていることを特徴とするシャツ。